(57)【要約】【課題】比較的低コストで且つ安価にセキュリティを向上させることができる電子錠の解錠方法を提供することを課題とする。【解決手段】携帯端末３０は、第１の通信回線５０を介してセンターサーバー２０へ第１の所定の情報を送信し、センターサーバー２０は、受信した第１の所定の情報と予め記憶している第２の所定の情報とを照合し、その照合が一致すれば第１の通信回線５０を介して携帯端末３０へ第１の解錠コードを送信する。これを受けた携帯端末３０は、受信した第１の解錠コードを第２の通信回線５２を介して電子錠４０へ送信する。これを受けた電子錠４０は、受信した第１の解錠コードを第３の通信回線５４を介してローカルサーバー１０へ送信する。これを受けたローカルサーバー１０は、受信した第１の解錠コードと予め記憶している第２の解錠コードとを照合し、その照合が一致すれば第３の通信回線５４を介して電子錠４０へ解錠指令を送信する。【選択図】        図1
2005264510.tif 000002
【特許請求の範囲】
【請求項１】
サーバー室に設けてある電子錠の解錠方法であって、
ローカルサーバーと、センターサーバーと、携帯端末と、電子錠とを備え、
前記ローカルサーバーと、前記センターサーバーと、前記携帯端末とは互いに第１の通信回線に接続してあり、前記携帯端末は前記ローカルサーバーと第２の通信回線にて接続可能であり、前記ローカルサーバーは前記電子錠と第３の通信回線にて接続してあり、
前記携帯端末は、
前記第１の通信回線を介して前記センターサーバーへ第１の所定の情報を送信し、
前記センターサーバーは、
受信した第１の所定の情報と予め記憶している第２の所定の情報とを照合し、その照合が一致すれば前記第１の通信回線を介して前記携帯端末へ第１の解錠コードを送信し、
これを受けた携帯端末は、
受信した第１の解錠コードを前記第２の通信回線を介して前記電子錠へ送信し、
これを受けた電子錠は、
受信した第１の解錠コードを前記第３の通信回線を介して前記ローカルサーバーへ送信し、
これを受けたローカルサーバーは、
受信した第１の解錠コードと予め記憶している第２の解錠コードとを照合し、その照合が一致すれば前記第３の通信回線を介して前記電子錠へ解錠指令を送信する、電子錠の解錠方法。
【請求項２】
サーバー室に設けてある電子錠の解錠方法であって、
ローカルサーバーと、センターサーバーと、携帯端末と、電子錠とを備え、
前記ローカルサーバーと、前記センターサーバーと、前記携帯端末とは互いに第１の通信回線に接続してあり、前記携帯端末は前記ローカルサーバーと第２の通信回線にて接続可能であり、前記ローカルサーバーは前記電子錠と第３の通信回線にて接続してあり、
前記携帯端末は、
前記第１の通信回線を介して前記センターサーバーへ第１の所定の情報を送信し、
前記センターサーバーは、
受信した第１の所定の情報と予め記憶している第２の所定の情報とを照合し、その照合が一致すれば前記第１の通信回線を介して前記携帯端末へ第１の解錠コードを送信するとともに、前記第１の通信回線を介して前記ローカルサーバーへ第２の解錠コードを送信し、
これを受けた携帯端末は、
受信した第１の解錠コードを前記第２の通信回線を介して前記電子錠へ送信し、
これを受けた電子錠は、
受信した第１の解錠コードを前記第３の通信回線を介して前記ローカルサーバーへ送信し、
これを受けたローカルサーバーは、
前記電子錠から受信した第１の解錠コードと前記センターサーバーから受信した第２の解錠コードとを照合し、その照合が一致すれば前記第３の通信回線を介して前記電子錠へ解錠指令を送信する、電子錠の解錠方法。
【請求項３】
サーバー室に設けてある電子錠の解錠方法であって、
ローカルサーバーと、センターサーバーと、携帯端末と、電子錠とを備え、
前記ローカルサーバーと、前記センターサーバーと、前記携帯端末とは互いに第１の通信回線に接続してあり、前記携帯端末は前記ローカルサーバーと第２の通信回線にて接続可能であり、前記ローカルサーバーは前記電子錠と第３の通信回線にて接続してあり、
前記携帯端末は、
前記第１の通信回線を介して前記センターサーバーへ第１の所定の情報を送信し、
前記センターサーバーは、
受信した第１の所定の情報と予め記憶している第２の所定の情報とを照合し、その照合が一致すれば前記第１の通信回線を介して前記携帯端末へ第１の解錠コードを送信し、
これを受けた携帯端末は、
受信した第１の解錠コードを前記第２の通信回線を介して前記電子錠へ送信し、
これを受けた電子錠は、
受信した第１の解錠コードを前記第３の通信回線を介して前記ローカルサーバーへ送信し、
これを受けたローカルサーバーは、
前記電子錠から受信した第１の解錠コードを前記第１の通信回線を介して前記センターサーバーへ送信し、
これを受けたセンターサーバーは、
前記ローカルサーバーから受信した第１の解錠コードと予め記憶している第２の解錠コードとを照合し、その照合が一致すれば前記第１の通信回線を介して前記電子錠の解錠指令を前記ローカルサーバーへ送信し、
これを受けたローカルサーバーは、
前記第３の通信回線を介して前記電子錠へ解錠指令を送信する、電子錠の解錠方法。
【発明の詳細な説明】
【技術分野】
【０００１】
本発明は、電子錠の解錠方法に関し、詳しくは通信回線を介して解錠コードを送信して電子錠を解錠する方法に関する。
【背景技術】
【０００２】
この種の電子錠の解錠方法は、例えば特許文献１に開示された技術が既に知られている。この技術では、図１１に示すようにサーバー室１のドア３には電子錠４０が設けてあり、この電子錠４０を解錠しなければ入室できない。またサーバー室１にはローカルサーバー１０が設けてあり、ローカルサーバー１０は電子錠４０と第３の通信回線５４にて接続してある。またローカルサーバー１０はサーバー室１外のセンターサーバー２０と中継装置５０ａとにそれぞれ第１の通信回線５０を介して接続してある。またこの中継装置５０ａを介して携帯端末３０（例えば、携帯電話など）は第１の通信回線５０と接続してある。またこのセンターサーバー２０には予め所定の電話番号が割り付けてあり、その電話番号に発信することでセンターサーバー２０と通信可能となる。
【０００３】
またサーバー室１の入室希望者（以下、「使用者」と記す）は予め携帯端末３０を所持しており、その電話番号は予めセンターサーバー２０に記憶してある。そして使用者は携帯端末３０からセンターサーバー２０へ電話をかけると、センターサーバー２０は着信の電話番号と予め記憶してある電話番号が一致するか否かを判断する。そしてセンターサーバー２０は電話番号が一致していると判断すれば、ローカルサーバー１０を介して電子錠４０へ解錠指令を送信するとともに携帯端末３０へ電子錠４０を解錠した旨を使用者へ音声案内する。一方、不一致であると判断すれば、携帯端末３０へ電子錠４０を解錠できない旨を使用者へ音声案内する。このようにセンターサーバー２０に電話番号が記憶してある携帯端末３０を所持していれば電子錠４０の解錠をすることができる。
【特許文献１】特開２００２−１２９７９２号公報
【発明の開示】
【発明が解決しようとする課題】
【０００４】
しかしながら、上述した電子錠の解錠方法では、使用者がサーバー室１のドア３付近で解錠操作をしなくても携帯端末３０とセンターサーバー２０とが通信できるのであれば何処にいても電子錠４０を解錠することができた。そのためサーバー室１の管理者はセキュリティーの面で不安であった。
【０００５】
本発明は、このような課題を解決しようとするもので、その目的は、比較的低コストで且つ安価にセキュリティを向上させることができる電子錠の解錠方法を提供することである。
【課題を解決するための手段】
【０００６】
本発明は、上記の目的を達成するためのものであって、以下のように構成されている。
請求項１に記載の発明は、サーバー室に設けてある電子錠の解錠方法であって、ローカルサーバーと、センターサーバーと、携帯端末と、電子錠とを備えている。また前記ローカルサーバーと、前記センターサーバーと、前記携帯端末とは互いに第１の通信回線（例えば、電話回線網、インターネット網など）に接続してある。また前記携帯端末は前記ローカルサーバーと第２の通信回線（例えば、ブルートゥース（登録商標）、赤外線通信などの無線通信）にて接続可能である。また前記ローカルサーバーは前記電子錠と第３の通信回線（例えば、通信ケーブルなど）にて接続してある。そして前記携帯端末は、前記第１の通信回線を介して前記センターサーバーへ第１の所定の情報を送信し、前記センターサーバーは、受信した第１の所定の情報と予め記憶している第２の所定の情報とを照合し、その照合が一致すれば前記第１の通信回線を介して前記携帯端末へ第１の解錠コードを送信する。これを受けた携帯端末は、受信した第１の解錠コードを前記第２の通信回線を介して前記電子錠へ送信する。これを受けた電子錠は、受信した第１の解錠コードを前記第３の通信回線を介して前記ローカルサーバーへ送信する。これを受けたローカルサーバーは、受信した第１の解錠コードと予め記憶している第２の解錠コードとを照合し、その照合が一致すれば前記第３の通信回線を介して前記電子錠へ解錠指令を送信する構成である。
【０００７】
この構成によれば、使用者が所有する携帯端末３０の電話番号を照合して照合が一致すれば電子錠４０の解錠コードを送信する。この解錠コードとは電子錠４０を解錠する「鍵」に相当し、解錠コードが一致しなければ電子錠４０を解錠できない。そして携帯端末３０から無線通信を介してこの解錠コードを電子錠４０へ送信して電子錠４０の解錠操作を実施する。このように無線通信を介して送信するため使用者は電子錠４０の付近で解錠操作をする必要があり遠方から電子錠４０を解錠することはできない。したがってサーバー室１の管理者はそのセキュリティを向上させることができる。またこの方法を使用すれば比較的低コストで且つ安価に実施できる。
【０００８】
請求項２に記載の発明は、サーバー室に設けてある電子錠の解錠方法であって、ローカルサーバーと、センターサーバーと、携帯端末と、電子錠とを備えている。また前記ローカルサーバーと、前記センターサーバーと、前記携帯端末とは互いに第１の通信回線に接続してある。また前記携帯端末は前記ローカルサーバーと第２の通信回線にて接続可能である。また前記ローカルサーバーは前記電子錠と第３の通信回線にて接続してある。そして前記携帯端末は、前記第１の通信回線を介して前記センターサーバーへ第１の所定の情報を送信し、前記センターサーバーは、受信した第１の所定の情報と予め記憶している第２の所定の情報とを照合し、その照合が一致すれば前記第１の通信回線を介して前記携帯端末へ第１の解錠コードを送信するとともに、前記第１の通信回線を介して前記ローカルサーバーへ第２の解錠コードを送信する。これを受けた携帯端末は、受信した第１の解錠コードを前記第２の通信回線を介して前記電子錠へ送信する。これを受けた電子錠は、受信した第１の解錠コードを前記第３の通信回線を介して前記ローカルサーバーへ送信する。これを受けたローカルサーバーは、前記電子錠から受信した第１の解錠コードと前記センターサーバーから受信した第２の解錠コードとを照合し、その照合が一致すれば前記第３の通信回線を介して前記電子錠へ解錠指令を送信する構成である。
【０００９】
この構成によれば、使用者が所有する携帯端末３０の電話番号を照合して照合が一致すれば電子錠４０の解錠コードを送信する。この解錠コードとは電子錠４０を解錠する「鍵」に相当し、解錠コードが一致しなければ電子錠４０を解錠できない。そして携帯端末３０から無線通信を介してこの解錠コードを電子錠４０へ送信して電子錠４０の解錠操作を実施する。このように無線通信を介して送信するため使用者は電子錠４０の付近で解錠操作をする必要があり遠方から電子錠４０を解錠することはできない。したがってサーバー室１の管理者はそのセキュリティを向上させることができる。またこの方法を使用すれば比較的低コストで且つ安価に実施できる。
【００１０】
請求項３に記載の発明は、サーバー室に設けてある電子錠の解錠方法であって、ローカルサーバーと、センターサーバーと、携帯端末と、電子錠とを備えている。前記ローカルサーバーと、前記センターサーバーと、前記携帯端末とは互いに第１の通信回線に接続してある。また前記携帯端末は前記ローカルサーバーと第２の通信回線にて接続可能である。また前記ローカルサーバーは前記電子錠と第３の通信回線にて接続してある。そして前記携帯端末は、前記第１の通信回線を介して前記センターサーバーへ第１の所定の情報を送信し、前記センターサーバーは、受信した第１の所定の情報と予め記憶している第２の所定の情報とを照合し、その照合が一致すれば前記第１の通信回線を介して前記携帯端末へ第１の解錠コードを送信する。これを受けた携帯端末は、受信した第１の解錠コードを前記第２の通信回線を介して前記電子錠へ送信する。これを受けた電子錠は、受信した第１の解錠コードを前記第３の通信回線を介して前記ローカルサーバーへ送信する。これを受けたローカルサーバーは、前記電子錠から受信した第１の解錠コードを前記第１の通信回線を介して前記センターサーバーへ送信する。これを受けたセンターサーバーは、前記ローカルサーバーから受信した第１の解錠コードと予め記憶している第２の解錠コードとを照合し、その照合が一致すれば前記第１の通信回線を介して前記電子錠の解錠指令を前記ローカルサーバーへ送信する。これを受けたローカルサーバーは、前記第３の通信回線を介して前記電子錠へ解錠指令を送信する構成である。
【００１１】
この構成によれば、使用者が所有する携帯端末３０の電話番号を照合して照合が一致すれば電子錠４０の解錠コードを送信する。この解錠コードとは電子錠４０を解錠する「鍵」に相当し、解錠コードが一致しなければ電子錠４０を解錠できない。そして携帯端末３０から無線通信を介してこの解錠コードを電子錠４０へ送信して電子錠４０の解錠操作を実施する。このように無線通信を介して送信するため使用者は電子錠４０の付近で解錠操作をする必要があり遠方から電子錠４０を解錠することはできない。したがってサーバー室１の管理者はそのセキュリティを向上させることができる。またこの方法を使用すれば比較的低コストで且つ安価に実施できる。
【発明を実施するための最良の形態】
【００１２】
以下、本発明を実施するための最良の形態を、図面を用いて説明する。
（実施例１）
まず、図１〜８によって実施例１を説明する。
図１は本発明の電子錠の解錠方法を適用した一実施の形態を表すシステム構成図である。図２は実施例１におけるローカルサーバー１０の記憶手段１２に記憶してある各種情報について説明する図である。図３はローカルサーバー１０の電気的構成を表すブロック図である。図４は実施例１におけるセンターサーバー２０の記憶手段２２に記憶してある各種情報について説明する図である。図５はセンターサーバー２０の電気的構成を表すブロック図である。図６は携帯端末３０の電気的構成を表すブロック図である。図７は電子錠４０の電気的構成を表すブロック図である。図８は実施例１における電子錠の解錠方法を説明するフロー図である。
また本発明に記載する「第１の所定の情報」、「第２の所定の情報」は各実施例に記載する「電話番号」、「予めＲＡＭ１２ｂに記憶してある電話番号」にそれぞれ相当する。
【００１３】
まず、図１を参照してシステム構成について説明する。
サーバー室１には複数のサーバー（図示しない）が据え付けられており、外部の人間はその入口ドア３に設けられた電子錠４０を解錠しなければ内部に入室することができない。この電子錠４０によってサーバー室１のセキュリティは確保されている。サーバー室１の内部にはローカルサーバー１０が設けてあり、外部にはセンターサーバー２０と中継装置５０ａが設けてある。
【００１４】
これらローカルサーバー１０と、センターサーバー２０と、中継装置５０ａとは互いに第１の通信回線（例えば、電話回線網、インターネット網など）５０に接続してある。またローカルサーバー１０と電子錠４０とは第３の通信回線５４（例えば、通信ケーブルなど）にて接続してある。なお、ここでいう「接続」とは各機器間で各種情報を送受信するための通信経路が確立してあることであり、情報を送受信している通信中の状態が成立していることを意味していない。また中継装置５０ａによって携帯端末３０は第１の通信回線５０と非接触に接続可能となる。
【００１５】
続いて、ローカルサーバー１０と、センターサーバー２０と、携帯端末３０と、電子錠４０の各部構成を個別に説明する。まず図２、３を参照してローカルサーバー１０について説明する。
例えばローカルサーバー１０は汎用のパーソナルコンピュータであり、その本体には表示手段（例えば、ＣＲＴディスプレイ、液晶ディスプレイなど）１３と入力手段（例えば、キーボード、マウスなどのポインティングデバイスなど）１４とを備えている。
【００１６】
また本体の内部には、解錠コードを照合するためのプログラムを実施したり、各種情報を送受信するためのプログラムを実施したり、各種プログラムを実施する制御手段１１を備えている。また図２に示すようにそれら各プログラムを記憶しているＲＯＭ１２ａと、第２の解錠コードを記憶している領域１２ｂ２と外部機器から受信した各種情報を一旦記憶する領域１２ｂ３とを有するＲＡＭ１２ｂとを備えている。また外部機器と接続するための通信手段１５を備えている。また、それらの各電気的構成は、図３に示すように制御手段１１に対して記憶手段１２（ＲＯＭ１２ａ、ＲＡＭ１２ｂ）と、表示手段１３と、入力手段１４と、通信手段１５とが各々電気的に接続してある。
【００１７】
次に図４、５を参照してセンターサーバー２０について説明する。
例えばセンターサーバー２０は汎用のパーソナルコンピュータであり、その本体には表示手段（例えば、ＣＲＴディスプレイ、液晶ディスプレイなど）２３と入力手段（例えば、キーボード、マウスなどのポインティングデバイスなど）２４とを備えている。
【００１８】
また本体の内部には、電話番号を照合するためのプログラムを実施したり、各種情報を送受信するためのプログラムを実施したり、各種プログラムを実施する制御手段２１を備えている。また図４に示すようにそれら各プログラムを記憶しているＲＯＭ２２ａと、使用者に所持させる電話番号とその電話番号に対応付けてアドレスを記憶している電話番号記憶領域２２ｂ１と第１の解錠コードを記憶している領域２２ｂ２と外部機器から受信した各種情報を一旦記憶する領域２２ｂ３と各種メッセージを記憶する領域２２ｂ４とを有するＲＡＭ２２ｂとを備えている。また外部機器と接続するための通信手段２５を備えている。また、それらの各電気的構成は、図５に示すように制御手段２１に対して記憶手段２２（ＲＯＭ２２ａ、ＲＡＭ２２ｂ）と、表示手段２３と、入力手段２４と、通信手段２５とが各々電気的に接続してある。
【００１９】
次に図６を参照して携帯端末３０について説明する。
例えば携帯端末３０は電話機能とメール機能とを有する汎用の携帯電話であり、その本体には表示手段（例えば、液晶ディスプレイなど）３３と入力手段（例えば、入力キーなど）３４とを備えている。
【００２０】
また本体の内部には、入力手段３４から入力された電話番号を発信して相手との通話を成立するためのプログラムを実施したり、メールによる各種情報を送受信するためのプログラムを実施したり、各種プログラムを実施する制御手段３１を備えている。またそれら各プログラムを記憶しているＲＯＭ３２ａと外部機器から受信した各種情報を一旦記憶するＲＡＭ３２ｂとを備えている。また外部機器と接続するための通信手段３５を備えている。また受信した第１の解錠コードを電子錠４０に送信するためのコード送信手段３６を備えている。また、それらの各電気的構成は、図示するように制御手段３１に対して記憶手段３２（ＲＯＭ３２ａ、ＲＡＭ３２ｂ）と、表示手段３３と、入力手段３４と、通信手段３５と、コード送信手段３６とが各々電気的に接続してある。
【００２１】
次に図７を参照して電子錠４０について説明する。
例えば電子錠４０は電気的にドア３を施錠または解錠する施錠機構を有する施錠装置であり、その本体には外部機器から解錠コードを受信するためのコード受信手段４７を備えている。
【００２２】
また本体の内部には、各種情報を送受信するためのプログラムを実施したり、ソレノイドへの解錠指令を送信したり、各種プログラムを実施する制御手段４１を備えている。またそれら各プログラムを記憶しているＲＯＭ４２ａと外部機器から受信した各種情報を一旦記憶するＲＡＭ４２ｂとを備えている。また外部機器と接続するための通信手段４５を備えている。また携帯端末３０から第１の解錠コードを受信するためのコード受信手段４７を備えている。また励磁によりドア３を施錠可能にするソレノイド４８を備えている。また、そのドア３の解錠を検出する解錠検出手段（例えば、近接スイッチなど）４９を備えている。また、それらの各電気的構成は、図示するように制御手段４１に対して記憶手段４２（ＲＯＭ４２ａ、ＲＡＭ４２ｂ）と、通信手段４５と、コード受信手段４７と、ソレノイド４８と、解錠検出手段４９とが各々電気的に接続してある。
【００２３】
続いて図８を参照して携帯端末３０を使用してサーバー室１のドア３に設けてある電子錠４０を解錠してサーバー室１に入室する方法について説明する。
まず使用者は携帯端末３０からセンターサーバー２０へ電話を発信する（ステップＳ１００）。センターサーバー２０はその着信電話番号と予めＲＡＭ２２ｂの電話番号記憶領域２２ｂ１に記憶してある電話番号とが一致するか否かを判断する（ステップＳ１０２）。一致すると判断した場合、センターサーバー２０は携帯端末３０との電話通信を断にして予めＲＡＭ２２ｂの解錠コード記憶領域２２ｂ２に記憶してある第１の解錠コード（図４において、０５１３８９２）をメールにて携帯端末３０へ送信する（ステップＳ１０４）。一方、センターサーバー２０は不一致であると判断した場合、センターサーバー２０は予めＲＡＭ２２ｂのメッセージ記憶領域２２ｂ４に記憶してあるメッセージ（図４において、この電話番号は許可されておりません）を携帯端末３０へ音声案内する（ステップＳ１２２）。
【００２４】
続いて、ステップＳ１０４を受けて携帯端末３０は受信した第１の解錠コードを電子錠４０へ送信する（ステップＳ１０６）。この送信はコード送信手段３６から第２の通信回線（例えば、ブルートゥース、赤外線通信などの無線通信）を介して実施される。このように無線通信により第１の解錠コードを送信するため送信距離には制限を有しており、使用者は電子錠４０付近でこの第１の解錠コードの送信操作を実施しなければならない。
【００２５】
これを受けて電子錠４０は受信した第１の解錠コードをローカルサーバー１０へ送信する（ステップＳ１０８）。ローカルサーバー１０はその受信した第１の解錠コードと予めＲＡＭ１２ｂの第２の解錠コード記憶領域に記憶してある第２の解錠コードとが一致するか否かを判断する（ステップＳ１１０）。一致すると判断した場合、ローカルサーバー１０は解錠指令を電子錠４０へ送信する（ステップＳ１１２）。これを受けて電子錠４０はソレノイド４８を励磁してドア３の施錠を解錠する（ステップＳ１１４）。
【００２６】
一方、ステップＳ１１０において不一致であると判断した場合、ローカルサーバー１０は不一致信号をセンターサーバー２０へ送信する（ステップＳ１２４）。これを受けてセンターサーバー２０は予めＲＡＭ２２ｂのメッセージ記憶領域２２ｂ４に記憶してあるメッセージ（図４において、解錠コードが不一致です）を携帯端末３０へメール送信する（ステップＳ１２６）。
【００２７】
続いて、ステップＳ１１４を受けて電子錠４０の解錠検出手段４９は解錠状態を検出して電子錠４０は解錠検出信号をローカルサーバー１０へ送信する（ステップＳ１１６）。
これを受けてローカルサーバー１０は解錠検出信号をセンターサーバー２０へ送信する（ステップＳ１１８）。これを受けてセンターサーバー２０は予めＲＡＭ２２ｂのメッセージ記憶領域２２ｂ４に記憶してあるメッセージ（図４において、解錠しました）を携帯端末３０へメール送信する（ステップＳ１２０）。使用者はこの案内を受けてサーバー室１が解錠されたことを知り入室できる。なおサーバー室１からの退出の際には、電子錠４０はオートロックであるため各機器を介することなく施錠できる。
【００２８】
このようにして使用者は携帯端末３０の電話機能とメール機能とを利用してサーバー室１のドア３の電子錠４０を解錠することができる。またこのように使用者は電子錠４０付近で解錠操作をする必要があるため、使用者は遠方から電子錠４０を解錠することはできない。したがってサーバー室１の管理者はサーバー室１のセキュリティを向上させることができる。
【００２９】
またローカルサーバー１０およびセンターサーバー２０は各機器と実施する情報の授受の履歴をＲＡＭ１２ｂおよびＲＡＭ２２ｂに記憶しておくことができ後に検索可能となっている。
【００３０】
（実施例２）
続いて、図９〜１１によって実施例２について説明する。
図９は実施例２におけるローカルサーバー１０の記憶手段１２に記憶してある各種情報について説明する図である。図１０は実施例２におけるセンターサーバー２０の記憶手段１２に記憶してある各種情報について説明する図である。図１１は実施例２における電子錠の解錠方法を説明するフロー図である。この実施例２は、既に説明した実施例１と比較して、ローカルサーバー１０は解錠コードの照合を電子錠４０から受信する第１の解錠コードとセンターサーバー２０から受信する第２の解錠コードとを照合するものである。そして、以下の説明にあたっては、実施例１と同一もしくは均等な機器には、同一符号を付すことで重複する説明は省略する。これらについては、後述する実施例３についても同様である。
【００３１】
実施例２においてもシステム構成および各機器構成は実施例１と同じである。しかしローカルサーバー１０のＲＡＭ１２ｂとセンターサーバー２０のＲＡＭ２２ｂとに記憶してある情報が実施例１と相違する。そのため、その相違点のみ説明する。
図９に示すように、実施例２におけるローカルサーバー１０のＲＡＭ１２ｂには、第２の解錠コードを記憶していない。また図１０に示すように、実施例２におけるセンターサーバー２０のＲＡＭ２２ｂには、第２の解錠コード記憶領域２２ｂ５を有しその領域に第２の解錠コード（図１０において、０５１３８９２）を記憶している。
【００３２】
続いて図１１を参照して携帯端末３０を使用してサーバー室１のドア３に設けてある電子錠４０を解錠してサーバー室１に入室する方法について説明する。
まず使用者は携帯端末３０からセンターサーバー２０へ電話を発信する（ステップＳ２００）。センターサーバー２０はその着信電話番号と予めＲＡＭ２２ｂの電話番号記憶領域２２ｂ１に記憶してある電話番号とが一致するか否かを判断する（ステップＳ２０２）。一致すると判断した場合、センターサーバー２０は携帯端末３０との電話通信を断にして予めＲＡＭ２２ｂの第１の解錠コード記憶領域２２ｂ２に記憶してある第１の解錠コード（図１０において、０５１３８９２）をメールにて携帯端末３０へ送信する（ステップＳ２０４）。また併せてセンターサーバー２０は予めＲＡＭ２２ｂの第２の解錠コード記憶領域２２ｂ５に記憶してある第２の解錠コード（図１０において、０５１３８９２）をローカルサーバー１０へ送信する（ステップＳ２０４）。一方、センターサーバー２０は不一致であると判断した場合、センターサーバー２０は予めＲＡＭ２２ｂのメッセージ記憶領域２２ｂ４に記憶してあるメッセージ（図１０において、この電話番号は許可されておりません）を携帯端末３０へ音声案内する（ステップＳ２２２）。
【００３３】
続いて、ステップＳ２０４を受けて携帯端末３０は受信した第１の解錠コードを電子錠４０へ送信する（ステップＳ２０６）。この送信はコード送信手段３６から第２の通信回線（例えば、ブルートゥース、赤外線通信などの無線通信）を介して実施される。このように無線通信により第１の解錠コードを送信するため送信距離には制限を有しており、使用者は電子錠４０付近でこの第１の解錠コードの送信操作を実施しなければならない。
【００３４】
これを受けて電子錠４０は受信した第１の解錠コードをローカルサーバー１０へ送信する（ステップＳ２０８）。ローカルサーバー１０はその受信した第１の解錠コードとステップＳ２０４においてセンターサーバー２０から受信した第２の解錠コードとが一致するか否かを判断する（ステップＳ２１０）。一致すると判断した場合、ローカルサーバー１０は解錠指令を電子錠４０へ送信する（ステップＳ２１２）。これを受けて電子錠４０はソレノイド４８を励磁してドア３の施錠を解錠する（ステップＳ２１４）。
【００３５】
一方、ステップＳ２１０において不一致であると判断した場合、ローカルサーバー１０は不一致信号をセンターサーバー２０へ送信する（ステップＳ２２４）。これを受けてセンターサーバー２０は予めＲＡＭ２２ｂのメッセージ記憶領域２２ｂ４に記憶してあるメッセージ（図１０において、解錠コードが不一致です）を携帯端末３０へメール送信する（ステップＳ２２６）。
【００３６】
続いて、ステップＳ２１４を受けて電子錠４０の解錠検出手段４９は解錠状態を検出して電子錠４０は解錠検出信号をローカルサーバー１０へ送信する（ステップＳ２１６）。
これを受けてローカルサーバー１０は解錠検出信号をセンターサーバー２０へ送信する（ステップＳ２１８）。これを受けてセンターサーバー２０は予めＲＡＭ２２ｂのメッセージ記憶領域２２ｂ４に記憶してあるメッセージ（図１０において、解錠しました）を携帯端末３０へメール送信する（ステップＳ２２０）。使用者はこの案内を受けてサーバー室１が解錠されたことを知り入室できる。なおサーバー室１からの退出の際には、電子錠４０はオートロックであるため各機器を介することなく施錠できる。
【００３７】
このようにして実施例１と同様に使用者は携帯端末３０の電話機能とメール機能とを利用してサーバー室１のドア３の電子錠４０を解錠することができる。またこのように使用者は電子錠４０付近で解錠操作をする必要があるため、使用者は遠方から電子錠４０を解錠することはできない。したがってサーバー室１の管理者はサーバー室１のセキュリティを向上させることができる。
【００３８】
（実施例３）
続いて、図１２〜１４によって実施例３について説明する。
図１２は実施例３におけるローカルサーバー１０の記憶手段１２に記憶してある各種情報について説明する図である。図１３は実施例３におけるセンターサーバー２０の記憶手段１２に記憶してある各種情報について説明する図である。図１４は実施例３における電子錠の解錠方法を説明するフロー図である。この実施例３は、既に説明した実施例１と比較して、センターサーバー２０が第１の解錠コードと第２の解錠コードとを照合するものである。
【００３９】
実施例３においてもシステム構成および各機器構成は実施例１と同じである。しかしローカルサーバー１０のＲＡＭ１２ｂとセンターサーバー２０のＲＡＭ２２ｂとに記憶してある情報が実施例１と相違する。そのため、その相違点のみ説明する。
図１２に示すように、実施例３におけるローカルサーバー１０のＲＡＭ１２ｂには、第２の解錠コードを記憶していない。また図１３に示すように、実施例３におけるセンターサーバー２０のＲＡＭ２２ｂには、第２の解錠コード記憶領域２２ｂ５を有しその領域に第２の解錠コード（図１３において、０５１３８９２）を記憶している。
【００４０】
続いて図１４を参照して携帯端末３０を使用してサーバー室１のドア３に設けてある電子錠４０を解錠してサーバー室１に入室する方法について説明する。
まず使用者は携帯端末３０からセンターサーバー２０へ電話を発信する（ステップＳ３００）。センターサーバー２０はその着信電話番号と予めＲＡＭ２２ｂの電話番号記憶領域２２ｂ１に記憶してある電話番号とが一致するか否かを判断する（ステップＳ３０２）。一致すると判断した場合、センターサーバー２０は携帯端末３０との電話通信を断にして予めＲＡＭ２２ｂの第１の解錠コード記憶領域２２ｂ２に記憶してある第１の解錠コード（図１３において、０５１３８９２）をメールにて携帯端末３０へ送信する（ステップＳ３０４）。また併せてセンターサーバー２０は予めＲＡＭ２２ｂの第２の解錠コード記憶領域２２ｂ５に記憶してある第２の解錠コード（図１３において、０５１３８９２）をローカルサーバー１０へ送信する（ステップＳ３０４）。一方、センターサーバー２０は不一致であると判断した場合、センターサーバー２０は予めＲＡＭ２２ｂのメッセージ記憶領域２２ｂ４に記憶してあるメッセージ（図１３において、この電話番号は許可されておりません）を携帯端末３０へ音声案内する（ステップＳ３２６）。
【００４１】
続いて、ステップＳ３０４を受けて携帯端末３０は受信した第１の解錠コードを電子錠４０へ送信する（ステップＳ３０６）。この送信はコード送信手段３６から第２の通信回線（例えば、ブルートゥース、赤外線通信などの無線通信）を介して実施される。このように無線通信により第１の解錠コードを送信するため送信距離には制限を有しており、使用者は電子錠４０付近でこの第１の解錠コードの送信操作を実施しなければならない。
【００４２】
これを受けて電子錠４０は受信した第１の解錠コードをローカルサーバー１０へ送信する（ステップＳ３０８）。これを受けてローカルサーバー１０は受信した第１の解錠コードをセンターサーバー２０へ送信する（ステップＳ３１０）。センターサーバー２０はその受信した第１の解錠コードと予めＲＡＭ２２ｂの第２の解錠コード記憶領域に記憶してある第２の解錠コードとが一致するか否かを判断する（ステップＳ３１２）。一致すると判断した場合、センターサーバー２０は解錠指令をローカルサーバー１０へ送信する（ステップＳ３１４）。これを受けてローカルサーバー１０は解錠指令を電子錠４０へ送信する（ステップＳ３１６）。これを受けて電子錠４０はソレノイド４８を励磁してドア３の施錠を解錠する（ステップＳ３１８）。
【００４３】
一方、ステップＳ３１２において不一致であると判断した場合、センターサーバー２０は予めＲＡＭ２２ｂのメッセージ記憶領域２２ｂ４に記憶してあるメッセージ（図１３において、解錠コードが不一致です）を携帯端末３０へメール送信する（ステップＳ３２８）。
【００４４】
続いて、ステップＳ３１８を受けて電子錠４０の解錠検出手段４９は解錠状態を検出して電子錠４０は解錠検出信号をローカルサーバー１０へ送信する（ステップＳ３２０）。
これを受けてローカルサーバー１０は解錠検出信号をセンターサーバー２０へ送信する（ステップＳ３２２）。これを受けてセンターサーバー２０は予めＲＡＭ２２ｂのメッセージ記憶領域２２ｂ４に記憶してあるメッセージ（図１３において、解錠しました）を携帯端末３０へメール送信する（ステップＳ３２４）。使用者はこの案内を受けてサーバー室１が解錠されたことを知り入室できる。なおサーバー室１からの退出の際には、電子錠４０はオートロックであるため各機器を介することなく施錠できる。
【００４５】
このようにして実施例１と同様に使用者は携帯端末３０の電話機能とメール機能とを利用してサーバー室１のドア３の電子錠４０を解錠することができる。またこのように使用者は電子錠４０付近で解錠操作をする必要があるため、使用者は遠方から電子錠４０を解錠することはできない。したがってサーバー室１の管理者はサーバー室１のセキュリティを向上させることができる。
【００４６】
上述した内容は、あくまでも本発明の一実施の形態に関するものであって、本発明が上記内容に限定されることを意味するものではない。
各実施例では、ローカルサーバー１０と電子錠４０とが別体であり第３の通信回線５４を介して接続してある例を説明したが、これに限定されるものでなく、例えば電子錠４０にローカルサーバー１０を内蔵（一体）していても構わない。その場合には制御手段１１、４１を個々に設ける必要がなくなり１つで良い。その場合には各通信手段１５、４５は不要となる。
【００４７】
また各実施例では、サーバー室１が１つである例を説明したが、これに限定されるものでなく、サーバー室１は複数でも構わない。その場合には各サーバー室１には実施例と同様にローカルサーバー１０と電子錠４０とをそれぞれ備えている。また各サーバー室１にはそれぞれ異なる識別情報（例えば、部屋番号等）が割り付けられている。そしてローカルサーバー１０とセンターサーバー２０と携帯端末３０との間で実施される情報の授受において、この識別情報を対応付けることで、センターサーバー２０は、どのサーバー室１の解錠依頼であるか、またどのサーバー室１の解錠コードを送信すればよいか等を区別できる。
【００４８】
また各実施例では、携帯端末３０から第２の通信回線５２（無線通信）を介して電子錠４０へ第１の解錠コードを送信する例を説明したが、これに限定されるものでなく、携帯端末３０と電子錠４０とを通信ケーブルにて有線接続して第１の解錠コードを送信しても構わない。その場合には、携帯端末３０と電子錠とには各々通信ケーブル接続手段を設ける構成となる。
【００４９】
また各実施例では、携帯端末３０には電話機能とメール機能とを有する例を説明したが、これに限定されるものでなく、電話機能もしくはメール機能のいずれか一方の機能のみでも構わない。電話機能のみの場合にはセンターサーバー２０から受信する第１の解錠コードは音声案内にて受信する。そして電子錠４０には入力手段を備え、使用者はその入力手段から第１の解錠コードを入力する構成となる。その場合には第２の通信回線５２の送受信手段となる携帯端末３０のコード送信手段３６と電子錠４０のコード受信手段４７はそれぞれ不要となる。またメール機能のみの場合には携帯端末３０からセンターサーバー２０へのアクセスはメールにて実施する。センターサーバー２０はそのメールの発信アドレスと予めＲＡＭ２２ｂの電話番号記憶領域２２ｂ１に記憶してあるアドレスとが一致するか否かを判断する。そして一致の場合も不一致の場合も携帯端末３０へメールにて返信する。
【００５０】
また各実施例では、使用者の個人照合を実施していない例を説明したが、これに限定されるものでなく、本発明の趣旨を逸脱しない範囲で各種個人照合（例えば、４桁数字の暗証番号など）を追加しても構わない。
【００５１】
また各実施例では、解錠コードが複数桁で構成される数字の組み合わせである例を説明したが、これに限定されるものでなく、バーコード等であっても構わない。その場合には電子錠４０にバーコード読込手段を設け、携帯端末３０の表示手段３３にバーコードを表示させてバーコード読込手段に読み込ませて解錠コードを送信する構成となる。
【００５２】
また実施例１では、第１の解錠コードと第２の解錠コードが同一コードである例を説明したが、これに限定されるものでなく、異なるコードであっても構わない。その場合にはローカルサーバー１０のＲＡＭ１２ｂに記憶してある第２の解錠コードに第１の解錠コードを予め対応付けて記憶させておく必要がある。
また実施例２でも、第１の解錠コードと第２の解錠コードが同一コードである例を説明したが、これに限定されるものでなく、異なるコードであっても構わない。その場合にローカルサーバー１０は第１の解錠コードと第２の解錠コードとが異なる解錠コードであっても照合一致と判断できるように、予めそれらの各解錠コードを対応付けて記憶しておく必要がある。
また実施例３でも、第１の解錠コードと第２の解錠コードが同一コードである例を説明したが、これに限定されるものでなく、異なるコードであっても構わない。その場合にはセンターサーバー２０のＲＡＭ２２ｂに記憶してある第２の解錠コードに第１の解錠コードを予め対応付けて記憶させておく必要がある。
【００５３】
また各実施例では、第１の所定の情報と第２の所定の情報とが同一情報である例を説明したが、これに限定されるものでなく、異なる情報であっても構わない。その場合にセンターサーバー２０は第１の所定の情報と第２の所定の情報とが異なる所定の情報であっても照合一致と判断できるように、予めそれらの各所定の情報を対応付けて記憶しておく必要がある。
【００５４】
また各実施例では、サーバー室１に設けてある電子錠４０の例としてサーバー室１の入口ドア３に電子錠４０を設けた例を説明したが、これに限定されるものでなく、サーバー室１内の各サーバーラックなどに電子錠４０を設けても構わない。
【図面の簡単な説明】
【００５５】
【図１】本発明の電子錠の解錠方法を適用した一実施の形態を表すシステム構成図である。
【図２】実施例１におけるローカルサーバー１０の記憶手段１２に記憶してある各種情報について説明する図である。
【図３】ローカルサーバー１０の電気的構成を表すブロック図である。
【図４】実施例１におけるセンターサーバー２０の記憶手段２２に記憶してある各種情報について説明する図である。
【図５】センターサーバー２０の電気的構成を表すブロック図である。
【図６】携帯端末３０の電気的構成を表すブロック図である。
【図７】電子錠４０の電気的構成を表すブロック図である。
【図８】実施例１における電子錠の解錠方法を説明するフロー図である。
【図９】実施例２におけるローカルサーバー１０の記憶手段１２に記憶してある各種情報について説明する図である。
【図１０】実施例２におけるセンターサーバー２０の記憶手段１２に記憶してある各種情報について説明する図である。
【図１１】実施例２における電子錠の解錠方法を説明するフロー図である。
【図１２】実施例３におけるローカルサーバー１０の記憶手段１２に記憶してある各種情報について説明する図である。
【図１３】実施例３におけるセンターサーバー２０の記憶手段１２に記憶してある各種情報について説明する図である。
【図１４】実施例３における電子錠の解錠方法を説明するフロー図である。
【図１５】従来技術について説明する図である。
【符号の説明】
【００５６】
１      サーバー室
１０    ローカルサーバー
２０    センターサーバー
３０    携帯端末
４０    電子錠
５０    第１の通信回線
５２    第２の通信回線
５４    第３の通信回線
【図１】
2005264510.tif 000003
【図２】
2005264510.tif 000004
【図３】
2005264510.tif 000005
【図４】
2005264510.tif 000006
【図５】
2005264510.tif 000007
【図６】
2005264510.tif 000008
【図７】
2005264510.tif 000009
【図８】
2005264510.tif 000010
【図９】
2005264510.tif 000011
【図１０】
2005264510.tif 000012
【図１１】
2005264510.tif 000013
【図１２】
2005264510.tif 000014
【図１３】
2005264510.tif 000015
【図１４】
2005264510.tif 000016
【図１５】
2005264510.tif 000017